【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
アプリケーションプログラム（５４）および前記アプリケーションプログラムに対するスナップショットファイル（５５）を記憶する書き込み可能な不揮発性記憶媒体（３１）と、
前記スナップショットファイルおよび前記アプリケーションプログラムが展開されるＲＡＭ（３２）と、
前記アプリケーションプログラムを前記不揮発性記憶媒体から前記ＲＡＭに展開し、前記アプリケーションプログラムを実行するプロセッサ（３３）と、
前記不揮発性記憶媒体と前記ＲＡＭと前記プロセッサとを接続するバス（３４）と、
前記プロセッサに、前記アプリケーションプログラムを前記不揮発性記憶媒体から前記ＲＡＭに展開する処理を行わせ、かつ、前記アプリケーションプログラムを起動させるオペレーティングシステム（５２）と、
前記オペレーティングシステムが前記ＲＡＭへ展開される前、または、前記プロセッサが前記オペレーティングシステムの起動処理を実行中であって前記アプリケーションプログラムが前記ＲＡＭに展開される前に、前記プロセッサに、前記スナップショットファイルを前記不揮発性記憶媒体から読み出して前記ＲＡＭへ展開させる読み出しプログラム（５１）とを備え、
前記スナップショットファイルが使われるのは、前記オペレーティングシステムが起動した後の、前記アプリケーションプログラムを起動させるときである、情報処理装置（３）。
【請求項２】
前記情報処理装置は、車両に搭載されたディスプレイ（２）に画像を表示させる装置であって、
前記不揮発性記憶媒体には、前記プロセッサにより実行されるリアルタイムオペレーティングシステム（５１）および汎用オペレーティングシステム（５２）と、前記リアルタイムオペレーティングシステム上で動作し、前記ディスプレイに前記車両の走行に関わる画像を表示させる走行関連表示アプリケーションプログラム（５３）と、前記汎用オペレーティングシステム上で動作するマルチメディアアプリケーションプログラム（５４）と、が記憶され、
前記プロセッサは、前記リアルタイムオペレーティングシステムの起動が完了した後、前記汎用オペレーティングシステムを前記ＲＡＭへ展開する処理を開始し、
前記スナップショットファイルは前記マルチメディアアプリケーションプログラムに対するファイルである、請求項１に記載の情報処理装置。
【請求項３】
スナップショットファイル（５５）およびアプリケーションプログラム（５４）を記憶する書き込み可能な不揮発性記憶媒体（３１）と、
前記スナップショットファイルおよび前記アプリケーションプログラムが展開されるＲＡＭ（３２）と、
前記アプリケーションプログラムを前記不揮発性記憶媒体から前記ＲＡＭに展開し、前記アプリケーションプログラムを実行するプロセッサ（３３）と、
前記不揮発性記憶媒体と前記ＲＡＭと前記プロセッサとを接続するバス（３４）と、
前記プロセッサに、前記アプリケーションプログラムを前記不揮発性記憶媒体から前記ＲＡＭに展開する処理を行わせ、かつ、前記アプリケーションプログラムを実行させるオペレーティングシステム（５２）と、
前記オペレーティングシステムが前記ＲＡＭへ展開される前、または、前記プロセッサが前記オペレーティングシステムの起動処理を実行中に、前記プロセッサに、前記スナップショットファイルを前記不揮発性記憶媒体から読み出して前記ＲＡＭへ展開させる読み出しプログラム（５１）とを備え、
車両に搭載されたディスプレイ（２）に画像を表示させる情報処理装置であって、
前記不揮発性記憶媒体には、前記プロセッサにより実行されるリアルタイムオペレーティングシステム（５１）および汎用オペレーティングシステム（５２）と、前記リアルタイムオペレーティングシステム上で動作し、前記ディスプレイに前記車両の走行に関わる画像を表示させる走行関連表示アプリケーションプログラム（５３）と、前記汎用オペレーティングシステム上で動作するマルチメディアアプリケーションプログラム（５４）と、が記憶され、
前記プロセッサは、前記リアルタイムオペレーティングシステムの起動が完了した後、前記汎用オペレーティングシステムを前記ＲＡＭへ展開する処理を開始し、
前記スナップショットファイルは前記マルチメディアアプリケーションプログラムに対するファイルである、情報処理装置（３）。
【請求項４】
前記リアルタイムオペレーティングシステムが前記読み出しプログラムの機能を備える、請求項２または３に記載の情報処理装置。
【請求項５】
前記プロセッサが、前記リアルタイムオペレーティングシステムを実行して、前記スナップショットファイルを前記不揮発性記憶媒体から読み出して前記ＲＡＭへ展開するタイミングは、前記走行関連表示アプリケーションプログラムの起動完了後であって、前記汎用オペレーティングシステムを前記ＲＡＭへ展開する処理を開始する前である、請求項４に記載の情報処理装置。
【請求項６】
前記走行関連表示アプリケーションプログラムは、前記プロセッサに、前記ディスプレイに起動画像の一部を描画する処理を実行させる機能を備え、
前記スナップショットファイルが記憶されている前記マルチメディアアプリケーションプログラムは、前記プロセッサに、前記起動画像の残りの部分を描画する処理を実行させる機能を備える、請求項５に記載の情報処理装置。
【請求項７】
情報処理装置（３）が、アプリケーションプログラム（５４）を起動する情報処理方法であって、
プロセッサ（３３）は、前記アプリケーションプログラムが動作するオペレーティングシステム（５２）がＲＡＭへ展開される前、または、前記プロセッサが前記オペレーティングシステムの起動処理を実行中であって前記アプリケーションプログラムが前記ＲＡＭに展開される前に、前記アプリケーションプログラムおよび前記アプリケーションプログラムに対するスナップショットファイル（５５）であって前記オペレーティングシステムの起動時には使用しないスナップショットファイルを記憶する書き込み可能な不揮発性記憶媒体（３１）から前記スナップショットファイルを読み出して前記ＲＡＭへ展開し（Ｓ５）、
前記プロセッサは、前記オペレーティングシステムが起動した後、前記アプリケーションプログラムを前記ＲＡＭに展開し（Ｓ９）、
前記プロセッサは、前記ＲＡＭに展開された前記スナップショットファイルおよび前記アプリケーションプログラムを用いて、前記アプリケーションプログラムを起動する（Ｓ１０）、情報処理方法。
【請求項８】
情報処理装置（３）が、アプリケーションプログラム（５４）を起動する情報処理方法であって、
プロセッサ（３３）は、前記アプリケーションプログラムが動作するオペレーティングシステム（５２）がＲＡＭへ展開される前、または、前記プロセッサが前記オペレーティングシステムの起動処理を実行中に、スナップショットファイル（５５）および前記アプリケーションプログラムを記憶する書き込み可能な不揮発性記憶媒体（３１）から前記スナップショットファイルを読み出して前記ＲＡＭへ展開し（Ｓ５）、
前記プロセッサは、前記オペレーティングシステムが起動した後、前記アプリケーションプログラムを前記ＲＡＭに展開し（Ｓ９）、
前記プロセッサは、前記ＲＡＭに展開された前記スナップショットファイルおよび前記アプリケーションプログラムを用いて、前記アプリケーションプログラムを起動し（Ｓ１０）、
前記情報処理装置は、車両に搭載されたディスプレイ（２）に画像を表示させる装置であり、
前記不揮発性記憶媒体には、前記プロセッサにより実行されるリアルタイムオペレーティングシステム（５１）および汎用オペレーティングシステム（５２）と、前記リアルタイムオペレーティングシステム上で動作し、前記ディスプレイに前記車両の走行に関わる画像を表示させる走行関連表示アプリケーションプログラム（５３）と、前記汎用オペレーティングシステム上で動作するマルチメディアアプリケーションプログラム（５４）と、が記憶され、
前記スナップショットファイルは前記マルチメディアアプリケーションプログラムに対するファイルであり、
前記プロセッサは、前記リアルタイムオペレーティングシステムの起動が完了した後、前記汎用オペレーティングシステムを前記ＲＡＭへ展開する処理を開始する、情報処理方法。
【手続補正２】
【補正対象書類名】明細書
【補正対象項目名】０００９
【補正方法】変更
【補正の内容】
【０００９】
上記目的を達成するための情報処理装置に係る１つの開示は、
アプリケーションプログラム（５４）およびアプリケーションプログラムに対するスナップショットファイル（５５）を記憶する書き込み可能な不揮発性記憶媒体（３１）と、
スナップショットファイルおよびアプリケーションプログラムが展開されるＲＡＭ（３２）と、
アプリケーションプログラムを不揮発性記憶媒体からＲＡＭに展開し、アプリケーションプログラムを実行するプロセッサ（３３）と、
不揮発性記憶媒体とＲＡＭとプロセッサとを接続するバス（３４）と、
プロセッサに、アプリケーションプログラムを不揮発性記憶媒体からＲＡＭに展開する処理を行わせ、かつ、アプリケーションプログラムを起動させるオペレーティングシステム（５２）と、
オペレーティングシステムがＲＡＭへ展開される前、または、プロセッサがオペレーティングシステムの起動処理を実行中であってアプリケーションプログラムがＲＡＭに展開される前に、プロセッサに、スナップショットファイルを不揮発性記憶媒体から読み出してＲＡＭへ展開させる読み出しプログラム（５１）とを備え、スナップショットファイルが使われるのは、オペレーティングシステムが起動した後の、アプリケーションプログラムを起動させるときである、情報処理装置（３）である。
上記目的を達成するための情報処理装置に係る他の１つの開示は、
スナップショットファイル（５５）およびアプリケーションプログラム（５４）を記憶する書き込み可能な不揮発性記憶媒体（３１）と、
スナップショットファイルおよびアプリケーションプログラムが展開されるＲＡＭ（３２）と、
アプリケーションプログラムを不揮発性記憶媒体からＲＡＭに展開し、アプリケーションプログラムを実行するプロセッサ（３３）と、
不揮発性記憶媒体とＲＡＭとプロセッサとを接続するバス（３４）と、
プロセッサに、アプリケーションプログラムを不揮発性記憶媒体からＲＡＭに展開する処理を行わせ、かつ、アプリケーションプログラムを実行させるオペレーティングシステム（５２）と、
オペレーティングシステムがＲＡＭへ展開される前、または、プロセッサがオペレーティングシステムの起動処理を実行中に、プロセッサに、スナップショットファイルを不揮発性記憶媒体から読み出してＲＡＭへ展開させる読み出しプログラム（５１）とを備え、
車両に搭載されたディスプレイ（２）に画像を表示させる情報処理装置であって、
不揮発性記憶媒体には、プロセッサにより実行されるリアルタイムオペレーティングシステム（５１）および汎用オペレーティングシステム（５２）と、リアルタイムオペレーティングシステム上で動作し、ディスプレイに車両の走行に関わる画像を表示させる走行関連表示アプリケーションプログラム（５３）と、汎用オペレーティングシステム上で動作するマルチメディアアプリケーションプログラム（５４）と、が記憶され、
プロセッサは、リアルタイムオペレーティングシステムの起動が完了した後、汎用オペレーティングシステムをＲＡＭへ展開する処理を開始し、
スナップショットファイルはマルチメディアアプリケーションプログラムに対するファイルである、情報処理装置（３）である。
【手続補正３】
【補正対象書類名】明細書
【補正対象項目名】００１３
【補正方法】変更
【補正の内容】
【００１３】
上記目的を達成するための情報処理方法に係る１つの開示は、
情報処理装置（３）が、アプリケーションプログラム（５４）を起動する情報処理方法であって、
プロセッサ（３３）は、アプリケーションプログラムが動作するオペレーティングシステム（５２）がＲＡＭへ展開される前、または、プロセッサがオペレーティングシステムの起動処理を実行中であってアプリケーションプログラムがＲＡＭに展開される前に、アプリケーションプログラムおよびアプリケーションプログラムに対するスナップショットファイル（５５）であってオペレーティングシステムの起動時には使用しないスナップショットファイルを記憶する書き込み可能な不揮発性記憶媒体（３１）からスナップショットファイルを読み出してＲＡＭへ展開し（Ｓ５）、
プロセッサは、オペレーティングシステムが起動した後、アプリケーションプログラムをＲＡＭに展開し（Ｓ９）、
プロセッサは、ＲＡＭに展開されたスナップショットファイルおよびアプリケーションプログラムを用いて、アプリケーションプログラムを起動する（Ｓ１０）、情報処理方法である。
上記目的を達成するための情報処理方法に係る他の１つの開示は、
情報処理装置（３）が、アプリケーションプログラム（５４）を起動する情報処理方法であって、
プロセッサ（３３）は、アプリケーションプログラムが動作するオペレーティングシステム（５２）がＲＡＭへ展開される前、または、プロセッサがオペレーティングシステムの起動処理を実行中に、スナップショットファイル（５５）およびアプリケーションプログラムを記憶する書き込み可能な不揮発性記憶媒体（３１）からスナップショットファイルを読み出してＲＡＭへ展開し（Ｓ５）、
プロセッサは、オペレーティングシステムが起動した後、アプリケーションプログラムをＲＡＭに展開し（Ｓ９）、
プロセッサは、ＲＡＭに展開されたスナップショットファイルおよびアプリケーションプログラムを用いて、アプリケーションプログラムを起動し（Ｓ１０）、
情報処理装置は、車両に搭載されたディスプレイ（２）に画像を表示させる装置であり、
不揮発性記憶媒体には、プロセッサにより実行されるリアルタイムオペレーティングシステム（５１）および汎用オペレーティングシステム（５２）と、リアルタイムオペレーティングシステム上で動作し、ディスプレイに車両の走行に関わる画像を表示させる走行関連表示アプリケーションプログラム（５３）と、汎用オペレーティングシステム上で動作するマルチメディアアプリケーションプログラム（５４）と、が記憶され、
スナップショットファイルはマルチメディアアプリケーションプログラムに対するファイルであり、
プロセッサは、リアルタイムオペレーティングシステムの起動が完了した後、汎用オペレーティングシステムをＲＡＭへ展開する処理を開始する、情報処理方法。